(57)【特許請求の範囲】
【請求項１】
利用者の上半身を起こすことができるベッド装置において、
ベッドフレ−ムと、
このベッドフレ−ムの長手方向に沿って複数の床板部に分割され、隣り合う床板部が互いに回動自在に連結されるとともに中央部分に位置する床板部が上記ベッドフレ−ムに固定された床板体と、
この床板体の上記ベッドフレ−ムに固定された固定床板部の一端側に回動自在に連結された可動床板部を起伏駆動する背上げ駆動機構と、
上記床板体上に載置されるとともに複数のマットレス部に分割されたマットレス体と、
上記可動床板部側に設けられたマットレス部をこの可動床板部に対してスライド自在に保持し、上記可動床板部を起立方向に回動させたときにそのマットレス部を上昇方向へスライドさせ倒伏方向へ回動させたときには下降方向へスライドさせるスライド手段とを具備し、
上記背上げ駆動機構は、上記可動床板部の下面側に長手方向に沿って設けられたレ−ルと、先端に上記レ−ルを転動するロ−ラが設けられたア−ムと、このア−ムを回動駆動することで上記レ−ルに沿って転動する上記ロ−ラによって上記可動床板部を起伏駆動する駆動源とからなり、
上記スライド手段は、上記可動床板部の上面側と下面側とにわたってル−プ状に設けられた帯状部材と、この帯状部材に上記可動床板部側に設けられたマットレス部を連結した第１の連結手段と、上記帯状部材と上記ア−ムとを連結しこのア−ムの回動に応じて上記帯状部材を上記可動床板部に沿ってスライドさせる第２の連結手段とからなることを特徴とするベッド装置。
【発明の詳細な説明】
【０００１】
【発明の属する技術分野】
この発明は自力で起き上がることが困難な利用者を介護するのに好適するベッド装置に関する。
【０００２】
【従来の技術】
たとえば、自力で身体を自由に動かすことが困難な利用者がベッド装置に仰臥している場合、その利用者に対して種々の介護を行わなければならない。その１つとして定期的に下着を着替えさせるということが行われている。
【０００３】
利用者の上半身の下着の交換などを容易に行えるようにするために、背上げ機構を備えたベッド装置が用いられる。その場合、ベッド装置には、互いに回動自在に連結された複数の床板部からなる床板体が設けられ、この床板体にマットレスが載置されている。
【０００４】
そして、上記背上げ機構を作動させると、利用者の上半身に対応する床板部が起上方向に駆動されるから、それによって利用者の上半身がマットレスを介して起こされることになる。
【０００５】
床板部を起上させると、マットレスは湾曲される。マットレスは所定の厚さ寸法を有するから、湾曲されることで、その上面には圧縮力が発生し、下面には引張力が発生する。マットレスの上面に圧縮力が発生すると、その圧縮力によって利用者の腰部がマットレスの湾曲した部分に包み込まれて圧迫される。
【０００６】
利用者が自力によって腰部をマットレスから浮き上がらせることができれば、その圧迫状態を解除することができるが、自力で身体を自由に動かすことが困難な利用者の場合にはマットレスによる腰部の圧迫状態を解除することができないため、不快感が増大するということがある。
【０００７】
【発明が解決しようとする課題】
【０００８】
【課題を解決するための手段】
このように、背上げ機構を備えたベッド装置を用いて利用者の上半身を起こすようにした場合、背上げ時に湾曲するマットレスの上面に発生する圧縮力で利用者の腰部が圧迫されるから、利用者に不快感を与えるということがあった。
【０００９】
この発明は、背上げ機構を備えたベッド装置を用いて利用者の上半身を起こすようにした場合、背上げ時に利用者の腰部が圧迫されることがないようにしたベッド装置を提供することにある。
【００１０】
【課題を解決するための手段】
請求項１の発明は、利用者の上半身を起こすことができるベッド装置において、
ベッドフレ−ムと、
このベッドフレ−ムの長手方向に沿って複数の床板部に分割され、隣り合う床板部が互いに回動自在に連結されるとともに中央部分に位置する床板部が上記ベッドフレ−ムに固定された床板体と、
この床板体の上記ベッドフレ−ムに固定された固定床板部の一端側に回動自在に連結された可動床板部を起伏駆動する背上げ駆動機構と、
上記床板体上に載置されるとともに複数のマットレス部に分割されたマットレス体と、
上記可動床板部側に設けられたマットレス部をこの可動床板部に対してスライド自在に保持し、上記可動床板部を起立方向に回動させたときにそのマットレス部を上昇方向へスライドさせ倒伏方向へ回動させたときには下降方向へスライドさせるスライド手段とを具備し、
上記背上げ駆動機構は、上記可動床板部の下面側に長手方向に沿って設けられたレ−ルと、先端に上記レ−ルを転動するロ−ラが設けられたア−ムと、このア−ムを回動駆動することで上記レ−ルに沿って転動する上記ロ−ラによって上記可動床板部を起伏駆動する駆動源とからなり、
上記スライド手段は、上記可動床板部の上面側と下面側とにわたってル−プ状に設けられた帯状部材と、この帯状部材に上記可動床板部側に設けられたマットレス部を連結した第１の連結手段と、上記帯状部材と上記ア−ムとを連結しこのア−ムの回動に応じて上記帯状部材を上記可動床板部に沿ってスライドさせる第２の連結手段とからなることを特徴とする。
【００１２】
請求項１の発明によれば、マットレス体を２つのマットレス部に分割し、可動床板部を起立方向に回動させたときに、この可動床板部上に設けられた一方のマットレス部を上昇方向へスライドさせ、倒伏方向に回動させたときには下降方向へスライドするようにしたから、背上げ時にマットレス体が湾曲して利用者の腰部を圧迫する圧縮力が発生するのを防止でき、倒伏時には可動床板部上に設けられたマットレス部をもとの状態に戻すことができる。
【００１３】
また、スライド手段の帯状部材を背上げ機構を利用して駆動するようにしたから、スライド手段を駆動するために専用の駆動手段を必要としない。
【００１４】
【実施の形態】
以下、この発明の一実施の形態を図面を参照して説明する。図１はベッド装置の分解斜視図であり、このベッド装置はベ−スフレ−ム１を備えている。このベ−スフレ−ム１はそれぞれ一対の長尺杆２と短尺杆３とを矩形枠状に配置し、これらの隣り合う端部を第１の連結部材４で連結して形成されている。上記長尺杆２と短尺杆３とは角筒状の部材が用いられている。
【００１５】
上記第１の連結部材４は、アルミニウムのダイキャストなどによって図５と図６に示すように上記長尺杆２の端部が挿入される第１の挿入部５と、上記短尺杆３の端部が挿入される第２の挿入部６と、後述する上下駆動機構１１の回動駆動される各一対の第２のア−ム１９ａ、１９ｂの端部を枢支する取り付け部７と、上記ベ−スフレ−ム１を走行自在かつ所定の位置で走行不能に保持できるストッパ付きのキャスタ８の取り付け軸８ａが嵌入固定される取付孔９とが一体成形されてなる。
【００１６】
上記第１の挿入部５と第２の挿入部６はほぼ直角に配置され、それによって長尺杆２と短尺杆３とを矩形枠状に連結できるようになっている。なお、各挿入部５、６に挿入された長尺杆２と短尺杆３との端部はねじ１０によって固定されている。
【００１７】
上記ベ−スフレ−ム１には上述した上下駆動機構１１が設けられる。この上下駆動機構１１は図１に示すように駆動源１２を有する。この駆動源１２には駆動軸１３が取り付けられ、この駆動軸１３は上記駆動源１２によって軸方向に進退駆動されるようになっている。
【００１８】
上記駆動軸１３の先端は連動杆１４の中途部に第１のブラケット１５を介して枢着されている。上記連動杆１４の一端と他端はそれぞれ回転軸１６ａ、１６ｂの中途部に設けられた第１のア−ム１７に枢着されている。一方の第１のア−ム１７の中途部には回転軸１６ａの周方向に対して上記第１のア−ム１７と所定の角度で第２のブラケット１８が設けられ、この第２のブラケット１８に上記駆動源１２が回動自在に取り付けられている。なお、他方の第１のア−ム１７に対して上記連動杆１４の端部は連動部材２０を介して枢着されている。
【００１９】
一方の回転軸１６ａの両端部には第２のア−ム１９ａの一端が固着され、他方の回転軸１６ｂの両端には第２のア−ム１９ｂの中途部が固着されている。各第１、２のア−ム１９ａ、１９ｂの他端には図５に示すように支軸２１が設けられ、この支軸２１は上記第１の連結部材４に形成された取付部７の溝部７ａに挿入されて回転自在に支持されている。上記支軸２１は、上記取付部７の開放端部に上記溝部７ａを横切る方向に設けられたストッパピン２２によって上記溝部７ａから抜出するのが阻止されている。
【００２０】
上記構成の上下駆動機構１１によれば、駆動源１２が作動して駆動軸１３が突出方向に駆動されると、連動杆１４が図１に矢印で示す方向に移動するから、それによって一対の回転軸１６ａ、１６ｂが同図に矢印で示す時計方向に回転する。回転軸１６ａ、１６ｂが回転すれば、その回転に上記第２のア−ム１９ａ、１９ｂが連動するようになっている。
【００２１】
上記ベ−スフレ−ム１の上方には上記上下駆動機構１１によって上下駆動される上下フレ−ム３１が配置されている。この上下フレ−ム３１は上記ベ−スフレ−ム１と同様、２本の長尺杆３２と短尺杆３３とを矩形枠状に配置し、それらの隣り合う端部を第２の連結部材３４によって連結して形成されている。
【００２２】
上記第２の連結部材３４は、図８に示すように上部材３５ａと下部材３５ｂとに分割された矩形枠状をなしていて、これらの部材３５ａ、３５ｂをねじなどで接合固定することで形成されている。この第２の連結部材３４には長尺杆３２が挿入される第１の挿入部３６と、この第１の挿入部３６に対して直交し、上記短尺杆３３が挿入される第２の挿入部３７とが形成されている。
【００２３】
上記構成の第２の連結部材３４は上下フレ−ム３１の幅方向両側に突出していて、その突出端部にはボ−ド体としてのヘッドボ−ド柵３７とフットボ−ド柵３８（図３（ａ）〜（ｃ）に示す）との下端部が鍔付きのキャップ３９ａを介して挿入保持される保持部としての保持孔３９が形成されている。つまり、上下フレ−ム３１の幅方向両側に設けられた一対の第２の連結部材３４の保持孔３９に上記各ボ−ド柵３７、３８の幅方向両端の下端部が挿入保持されるようになっている。
【００２４】
図１に示すように、上記上下フレ−ム３１の長尺杆３２の長手方向両端部内面にはそれぞれ第３のブラケット４１が垂設されている。各第３のブラケット４１には図７に示すように通孔４１ａが穿設され、この通孔４１ａには押え板４２の一側面に突設された支軸４３が挿入される。この支軸４３は上記一方の回転軸１６ａの端部に形成された支持孔４４および他方の回転軸１６ｂの他端に設けられた管部材４６の支持孔４７に挿入され、上記回転軸１６ａ、１６ｂを回転自在に支持している。
【００２５】
上記押え板４２は上記第３のブラケット４１にねじ４５によって固定される。なお、第３のブラケット４１の下端には接合された押え板４２の下端部に係合するＬ字状の係合片４１ｂが形成されている。
【００２６】
上記上下フレ−ム３１には背上げ駆動機構５１が設けられている。この背上げ駆動機構５１は図４（ａ）に示すように駆動源５２を有する。この駆動源５２には駆動軸５３が取り付けられ、この駆動軸５３は上記駆動源５２によって軸方向に進退駆動されるようになっている。
【００２７】
上記駆動源５２は平行に離間した一対の支持部材５４に架設された横杆５５に取り付けられている。各支持部材５４は角筒状の部材からなり、それらの両端部には図９に示すように合成樹脂製の一対のブロック５６が一部を嵌入させて設けられている。このブロック５６は両端部が上記支持部材５４の端部上下面にねじ５７によって固定されたＵ字状の金属バンド５８によって保持されている。
【００２８】
一対の支持部材５４の一端側に設けられた一対のブロック５６には第１の回転軸５９の中途部の二か所が回転自在に支持され、他端側に設けられた一対のブロック５６には第２の回転軸６１の中途部の二か所が回転自在に支持されている。
【００２９】
第１の回転軸５９の軸方向中央部には、図４（ａ）に示すようにア−ム６２の一端部が固着され、両端部にはカラ−６３が回転自在に外嵌されている。上記ア−ム６２の他端部には上記駆動源５２の駆動軸５３の先端部が回動自在に連結され、一対のカラ−６３には下面が開放した逆Ｕ字状の部材からなる第１の起上ア−ム６４の基端部が固着されている。各第１の起上ア−ム６４の先端側の外面にはそれぞれ一対の受けロ−ラ６５が回転自在に設けられ、基端部には樹脂によってブロック状に形成された受け部材６６が一部を下面側から突出させて嵌入固定されている。
【００３０】
上記第１の回転軸５９の両端部の上記第１の起上ア−ム６４よりも内側の部分には第１の起上ア−ム６４側に突出した連動ア−ム６７と、支持部材５４側に突出した腰上げア−ム６８とがそれぞれ一端部を固着して設けられている。連動ア−ム６７の先端部には図４（ｂ）に示すように上記受け部材６６の下面に係合するピン６９が設けられ、腰上げア−ム６８の先端部には第１の押上げロ−ラ７０が回転自在に設けられている。
【００３１】
上記第２の回転軸６１の両端部にはそれぞれ第２の起上ア−ム７１の基端部が固着されている。これら第２の起上ア−ム７１の先端部には第２の押上げロ−ラ７１ａが回転自在に設けられている。
【００３２】
上記駆動源５２が作動してその駆動軸５３が突出方向に駆動されると、ア−ム６２を介して第１の回転軸５９が図４（ａ）に矢印で示す反時計方向に回転させられる。この第１の回転軸５９の回転に上記連動ア−ム６７が連動すると、この連動ア−ム６に設けられたピン６９によって受け部材６６を介して第１の起上ア−ム６４を押上げるようになっている。
【００３３】
上記第１の回転軸５９の回転は動力切換機構８０によって上記第２の回転軸６１に選択的に伝達できるようになっている。この動力切換機構８０は図１１（ａ）〜（ｃ）と図１２に示すように断面コ字状をなし、内部を挿入部７２ａとした第１のリンク７２を有する。この第１のリンク７２の一端は上記第１の回転軸５９の一端部に設けられたブラケット７３に回動自在に枢着されている。
【００３４】
上記第１のリンク７２の他端部にはその両側壁を貫通した貫通孔７４が穿設されているとともに、この貫通孔７４の周囲には長溝７５ａと周方向に９０度の間隔で一対の係合孔７５ｂとが形成されている。上記長溝７５ａと係合孔７５ｂとは、第１のリンク７２の一側壁と他側壁とにおいて、上記長溝７５ａは上記貫通孔７４の周方向に９０度角度をずらして形成され、上記係合孔７５ｂは同じ位置に形成されている。
【００３５】
上記第１のリンク７２の挿入部７２ａには、一端部を上記第２の回転軸６１の一端部にブラケット７３を介して枢着された第２のリンク７６の他端部が挿入されている。この第２のリンク７６の他端部にはスライド孔７７が長手方向に沿って形成されている。このスライド孔７７の一端部には大径部７７ａが形成されている。
【００３６】
なお、第１のリンク７２の一側壁には挿入部７２ａに挿入された第１のリンク７６の他端部が下方へ抜出するのを阻止する折曲片７２ｂが形成されている。
上記第１のリンク７２と第２のリンク７６は断面形状が偏平に形成されたコマ７８によって連結されている。つまり、上記コマ７８は上記第１のリンク７２の貫通孔７４と、第２のリンク７６のスライド孔７７とに跨がって挿通されている。このコマ７８の短い方向の径は上記スライド孔７７の幅寸法よりもわずかに小さく設定され、長い方の径は上記大径部７７ａの幅寸法とほぼ同じに設定されている。したがって、上記コマ７８は上記大径部７７ａで回転させることができるようになっている。
上記コマ７８の両端部は上記第１のリンク７２の両側壁外面から突出し、その突出端部にはそれぞれ合成樹脂によって成形されたレバ−７９がねじ８１によって固定されている。各レバ−７９の内面には上記長溝７５ａにスライド自在に係合した第１の突起８２と、上記レバ−７９の回転角度に応じて一対の係合孔７５ｂに選択的に係合する円錐状の第２の突起８３とが設けられている。第２の突起８３は上記レバ−７９に切欠き８４を入れることで、上記係合孔７５ｂに弾性的に係脱できるようになっている。
【００３７】
上記コマ７８が上記スライド孔７７の大径部７７ａに位置するとき、上記レバ−７９は上記第１の突起８２が長溝７５ａに沿って移動可能な９０度の範囲で回転させることができる。レバ−７９がほぼ水平な状態にあるとき、上記コマ７８はスライド孔７７へスライドできない。そのため、その状態では第１のリンク７２に対して第２のリンク７６が上記コマ７８によってスライド不能となっている。この状態を動力切換機構８０のロック状態とする。
【００３８】
上記レバ−７９を水平な状態からほぼ垂直な状態へ９０度回転させると、上記コマ７８が上記スライド孔７７へスライドできる状態となる。したがって、第１のリンク７２に対して上記第２のリンク７６が上記コマ７８とともにスライド可能となる。この状態を動力切換機構８０の解除状態とする。ロック状態と解除状態とにおいて、第２の突起８３が一対の係合孔７５ｂの一方に弾性的に係合して上記レバ−７９が回動不能に保持される。
【００３９】
ロック状態において、上記背上げ駆動機構５１が作動してその第１の回転軸５９が回転されると、その回転が動力切換機構８０の第１のリンク７２と第２のリンク７６を介して第２の回転軸６１に伝達されるから、この第２の回転軸６１が連動するようになっている。
【００４０】
解除状態においては、第１の回転軸５９が回転して第１のリンク７２がスライドすると、そのスライドによってコマ７８がスライド孔７７をスライドすることで、第１のリンク７２の動きが第２のリンク７６に伝達されないから、第２の回転軸６１は回転しない。つまり、上記動力切換機構８０は、第１の回転軸５９の回転を上記第２の回転軸６１に伝達したり、遮断できるようになっている。
【００４１】
上記第１の回転軸５９と第２の回転軸６１との両端部は上記上下フレ−ム３１の一対の長尺杆３２の中途部にそれぞれ２つずつ設けられた受け部８５に回転自在に支持されている。この受け部８５は図１０（ａ）に示すサイドブラケット８６を有する。このサイドブラケット８６は板材を断面形状ほぼコ字状に曲成してなり、上下フレ−ム３１の内方へ膨出した膨出部８７を有する。この膨出部８７にはその上面と側面とに開放した係合部８８が形成されている。
【００４２】
上記係合部８８にはＵ字状の軸受部８９ａが形成されたブッシュ部材８９が係着されている。つまり、ブッシュ部材８９の裏面側には図１０（ｂ）に示すように上記軸受部８９ａに沿って鍔９１が設けられ、この鍔９１を上記係合部８８の側面に係合させることで、上記ブッシュ部材８９が上記膨出部８７に取り付けられている。そして、ブッシュ部材８９の軸受部８９ａに上記第１、第２の回転軸５９、６１の端部が回転自在に係合保持されている。
【００４３】
上記軸受部７９ａに保持された各回転軸５９、６１の端部は、上記膨出部８７の上面に弾性的に装着されるクリップ９２によって上記軸受部８９ａから外れるのが阻止されている。それによって、上記背上げ機構５１が上記上下フレ−ム３１に取り付けられている。
【００４４】
上記上下フレ−ム３１の上面には床板体９５が設けられている。この床板体９５は図１と図２（ａ）に示すように上下フレ−ム３１の長手方向に沿って５つの床板部に分割されている。つまり、長手方向中央部分は上記上下フレ−ム３１に固定される固定床板部９５ａとなっていて、この固定床板部９５ａの一端側には腰床板部９５ｂと背床板部９５ｃとが順次回動自在に連結されている。
【００４５】
上記固定床板部９５ａの他端側には第１の脚床板部９５ｄと第２の脚床板部９５ｅとが順次回動自在に連結されている。各床板部の互いに回動自在に連結される端部は凹部９６ａと凸部９６ｂとによって凹凸状に形成されている。
【００４６】
上記床板体９５の各床板部９５ａ〜９５ｅには通気孔９８が形成されているとともに、上面には長手方向ほぼ全長にわたる凸条９９が幅方向に所定間隔で突設されている。
【００４７】
それによって、上記床板体９５上に載置される、後述する構成のマットレス体Ｍは床板体９５の長手方向に対しては滑り易く、幅方向に対しては滑りにくくなっている。そのため、床部９５ｂ〜９５ｅを起上させると、マットレス体Ｍは凸条９９に沿ってスライドし易いから、床板部９５ｂ〜９５ｅの起上を円滑に行うことができる。
【００４８】
なお、床板体９５の長手方向末端である、第２の脚床板部９５ｅの端部にはマットレス体Ｍの一端に当接する板状のストッパ１００が設けられている。このストッパ１００は、マットレス体Ｍが第２の脚床板部９５ｅ方向へスライドするのを阻止するようになっている。
【００４９】
上記背上げ駆動機構５１の第１の第１の起上ア−ム６４に設けられた一対のロ−ラ６５は、図１３と図１４に示すように上記床板体９５の背床板部９５ｃの下面に設けられたレ−ル１１１に係合し、第２の起上ア−ム７１に設けられたロ−ラ７１ａは第１の脚床板部９５ｄの下面に当接している。
【００５０】
上記背上げ駆動機構５１の第１の回転軸５９が図４（ａ）に矢印で示す反時計方向に回転駆動されて第１の起上ア−ム６４が上昇方向に駆動されると、図１５に示すようにそのロ−ラ６５に押圧されて背床板部９５ｃが回動上昇し、この背床板部９５ｃの回動に腰床板部９５ｂが連動する。それによって、マットレス体Ｍ上に仰臥した利用者は上半身が起こされることになる。図３（ｃ）は背床板部９５ｃが起上させられた状態を示す。
【００５１】
上記第１の回転軸５９の回転に動力切換機構７１によって第２の回転軸６１を連動させると、第２の起上ア−ム７１が上昇方向に駆動されて第１の脚床板部９５ｄが回動上昇させられ、この回動に第２の脚床板部９５ｅが連動する。
【００５２】
上記第２の脚床板部９５ｅの下面には図１に示すように線材をコ字状に曲成した保持部材１１２（図２に示す）の中途部が回動自在に連結されている。この保持部材１１２の両端部は上記上下フレ−ム３１の長尺杆３２に回動自在に連結されている。したがって、上記第１の脚床板部９５ｄの回動に連動した第２の脚床板部９５ｅは、第１の脚床板部９５ｄとでほぼへの字状になるよう上記保持部材９７によって保持される。
【００５３】
上記床板体９５の腰床板部９５ｂは図２（ａ）、（ｂ）に示すように内側に段部１１３ａが形成された一対の側辺部１１３と、これら側辺部１１間に設けられ幅方向両端部を上記段部１１３ａに係合させたた腰上げ部材１１４とからなり、上記一対の側辺部１１３は上記固定床板部９５ａの側辺に回動自在に連結され、上記腰上げ部材１１４の一側は上記背床板部９５ｃの一側に回動自在に連結されている。したがって、上記腰上げ部材１１４は背床板部９５ｃに連結された一端側を支点として上昇方向に回動できるようになっている。
【００５４】
上記腰上げ部材１１４の下面には図３（ａ）、（ｂ）に示すように上記背上げ駆動機構５１の腰上げア−ム６８の先端部に設けられた第１の押上げロ−ラ７０が対向している。したがって、上記背上げ駆動機構５１の第１の回転軸５９が図４（ａ）に矢印で示す反時計方向と逆方向である時計方向に回転されると、上記腰床板部９５ｂの腰上げ部１１４だけが起上方向に回動されるようになっている。
【００５５】
上記マットレス体Ｍは複数、この実施の形態では第１のマットレス部１２１と第２のマットレス部１２２とに分割されている。第１のマットレス部１２１は固定床板部９５ａ、第１の脚床板部９５ｄおよび第２の脚床板部９５ｅにわたって設けられ、第２のマットレス部１２２は腰床板部９５ｂと背床板部９５ｃにわたって設けられている。なお、マットレス体Ｍは２つに限られず、３つあるいはそれ以上のマットレス部に分割してもよい。
【００５６】
上記第１のマットレス部１２１と第２のマットレス部１２２との隣り合う端部は、図１５に示すように、幅方向全長にわたって互いの外装カバ−１２１ａ、１２２ａに一端部と他端部とを縫着した結合手段としての屈曲自在な連結布１２３によって連結されている。それによって、一対のマットレス部１２１、１２２は上記連結布１２３の長さ寸法の範囲内で接離する方向に移動可能となっている。
【００５７】
第２のマットレス部１２２は、図１３に示すように矩形板状のウレタンフォ−ムなどの弾性材１２２ｂを内装カバ−１２２ｃおよび上記外装カバ−１２２ａで被覆して形成されている。
【００５８】
なお、上記内装カバ−１２２ｃはなくし、外装カバ−１２２ａだけとしも差し支えなく、また外装カバ−は分割せずに、弾性材だけを分割して複数のマットレス部を形成するようにしてもよい。その場合、複数の弾性材を収容した１つの外装地が連結布１２３の役割を兼ねるから、連結布は不要となる。
【００５９】
上記第２のマットレス部１２２の下面の幅方向両端部にはそれぞれ帯状の第１のベルベットファスナ１２５が縫着などの手段によって取付けられている。一対の第１のベルベットファスナ１２５は、図１３に示すように上記背床板部９５ｃ側に設けられた第２のベルベットファスナ１２６にそれぞれ着脱自在に係着される。上記第１のベルベットファスナ１２５と第２のベルベットファスナ１２６とで第１の連結手段を構成している。
【００６０】
上記第２のベルベットファスナ１２６はキャンバスなどの比較的丈夫な布地からなる帯状部材１２７に縫着などの手段で取付けられている。この帯状部材１２７は、一端側が上記背床板部９５ｃの長手方向一端部に形成されたガイド孔１２８に通されて下面側に導かれ、他端側は上記背床板部９５ｃの長手方向他端の凹部１３０（図１４に示す）に係合して下面側に導かれている。
【００６１】
上記第１の連結手段は第１のベルベットファスナ１２５と第２のベルベットファスナ１２６に限られず、上記外装カバ−１２２ａと帯状部材１２７とをたとえば縫着するなどの他の手段であってもよく、要は上記外装カバ−１２２ａと帯状部材１２７とを結合できればよい。
【００６２】
なお、上記ガイド孔１２８と上記凹部１３０には、それぞれ帯状部材１２７が片寄らないようにガイドするためのガイド部材１２８ａ、１３０ａが設けられている。
【００６３】
上記帯状部材１２７の一端側と他端側とは帯状の連結鋼板１２９の一端部と他端部とに連結されている。この連結鋼板１２９の一端部は上記背上げ機構５１の第１の起上ア−ム６４の先端部の内面側に取付けられた第２の連結手段となる連結部材１３１にねじ１３２によって固定されている。この連結部材１３１は上記受けロ−ラ６５を上記第１の起上ア−ム６４に取付けた軸６５ａに一体的に取付けられている。
【００６４】
したがって、上記第１の起上ア−ム６４が駆動源５２によって起立方向に回動駆動されることで、第１の起上ア−ム６４の先端、つまり受けロ−ラ６５がレ−ル１１１に対して図１３に矢印Ａで示す方向に相対的に移動すると、その相対的な移動が連結部材１３１を介して上記帯状部材１２７に伝達されるから、この帯状部材１２７は背床板部９５ｃの上下面に沿って同図に矢印Ｂで示す方向にスライドする。
【００６５】
上記帯状部材１２７が矢印Ｂ方向にスライドすれば、この動きに第１、第２のベルベットファスナ１２５、１２６を介して第２のマットレス１２２が連動して矢印Ｃ方向へスライドする。したがって、第１の起上ア−ム６４を起立方向に回動させて背床板部７５ｃを起上させるときには、上記第２のマットレス１２２は起上する背床板部７５ｃを上昇する方向へ強制的にスライドさせられることになる。
【００６６】
起上した背床板部７５ｃを倒伏方向へ回動させると、受けロ−ラ６５はレ−ル１１１に対して矢印Ａと逆方向へ相対的に移動するから、帯状部材１２７は上記背床板部７５ｃの上下面に沿って矢印Ｂと逆方向にスライドする。したがって、そのときには、上記第２のマットレス１２２は上記背床板部７５ｃを下降する、矢印Ｃとは逆方向へ強制的にスライドさせられることになる。
【００６７】
つぎに、上記構成のベッド装置の作用について説明する。
まず、利用者Ｕの上半身を起こす場合には、上下フレ−ム３１に設けられた背上げ駆動機構５１を作動させる。つまり、背上げ駆動機構５１の駆動源５２を作動させて第１の回転軸５９を反時計方向に回転させる。それによって、上記連動ア−ム６７が起上方向へ回動するから、この連動ア−ム６７に設けられたピン６９により起上ア−ム６４が起上方向へ回動させられる。
【００６８】
上記起上ア−ム６４に設けられた受けロ−ラ６５は背床板部９５ｃの下面に設けられたレ−ル１１１に係合しているから、この背床板部９５ｃを起上方向へ押上げる。したがって、上記背床板部９５ｃ上に位置する利用者の上半身を起こすことができる。
【００６９】
上記第１の回転軸５９の回転は、動力伝達機構８０によって第２の回転軸６１へ伝達したり、伝達を遮断することが可能である。第１の回転軸５９の回転を第２の回転軸６１へ伝達しない場合には、図３（ｃ）に示すように上記背床板部９５ｃを起上させても、第１の脚床板部９５ｄと第２の脚床板部９５ｅとが回動せず、平坦な状態を維持している。そのため、たとえば骨折などで脚部を動かすことのできない利用者Ｕの場合には背上げ時に第１の回転軸５９の回転を第２の回転軸６１へ伝達させない状態で使用すればよい。
【００７０】
利用者Ｕの上半身を起こすために、起上ア−ム６４を駆動して背床板部９５ｃを起上させると、レ−ル１１１に対して受けロ−ラ６５が図１３に矢印Ａで示す方向へ転動するから、その動きに連動して帯状部材１２７が背床板部９５ｃの上下面に沿って矢印Ｂで示す方向へスライドする。
【００７１】
帯状部材１２７が矢印Ｂ方向へスライドすれば、この帯状部材１２７に連結された第２のマットレス部１２２は矢印Ｃで示す方向、つまり起上する背床板部９５ｃを上昇する方向へ強制的にスライドする。
【００７２】
第２のマットレス部１２２が上昇方向へスライドすることで、この第２のマットレス部１２２の一端部、つまり利用者Ｕの腰部に対応する腰床板部９５ｂ上に位置する部分が強く屈曲されることがなくなる。そのため、利用者Ｕの上半身を起こしたときに、利用者Ｕの腰の部分がマットレス体Ｍによって圧迫されるということがほとんどなくなるから、利用者Ｕは不快感を感じることなく上半身を起こすことができる。
【００７３】
上半身を起こした利用者Ｕが横たわるために、起上状態にある背床板部９５ｃを倒伏方向へ回動させると、受けロ−ラ６５はレ−ル１１１を矢印Ａと逆方向へ転動する。それによって、帯状部材１２７は背床板部９５ｃの上下面に沿って矢印Ｂと逆方向にスライドするから、この帯状部材１２７のスライドに上記第２のマットレス部１２２が連動する。
【００７４】
上記第２のマットレス部１２２は背床板部９５ｃの倒伏方向への回動に連動してこの背床板部９５ｃに沿って下方へ強制的にスライドさせられるから、上記背床板部９５ｃがほぼ水平になるまで倒伏すると、第２のマットレス部１２２の一端面が第１のマットレス部１２１の一端面に接合し、これらマットレス部１２１、１２２の端面間に隙間ができるのを防止する。
【００７５】
つまり、第２のマットレス部１２２には利用者の荷重が加わるため、背床板部９５ｃを単に倒伏させるだけでは、上記第２のマットレス部１２２が下方へスライドしにくい。
【００７６】
そのため、第２のマットレス部１２２の端面と第１のマットレス部１２１との端面との間に隙間が生じてしまうが、上述したように第２のマットレス部１２２を強制的に下方へスライドさせるようにしたことで、背床板部９５ｃを倒伏させたときに、第１のマットレス部１２１と第２のマットレス部１２２との端面間に隙間ができるのを防止できる。
【００７７】
それによって、利用者Ｕの臀部が一対のマットレス部１２１、１２２の端面間に落ち込むことがないから、利用者Ｕに不快感を与えたり、寝心地の低下を招くのが防止される。
【００７８】
マットレス体Ｍ上に仰臥した利用者Ｕの下半身の世話、たとえばおむつを交換したり、排泄の世話をする場合などには、動力伝達機構８０によって第１の回転軸５９の回転を第２の回転軸６１に伝達しない状態にするとともに、床板体９５の各床板部を平坦な状態にしておき、背上げ駆動機構５１の駆動軸５３を後退方向へ駆動する。それによって、第１の回転軸５９が時計方向へ駆動されるから、図３（ｂ）に示すようにその回転によって腰上げア−ム６８が上昇方向へ回動し、連動ア−ム６７が下降方向へ回動することになる。
【００７９】
腰上げア−ム６８が上昇方向へ回動すると、その先端に設けられた第１の押上げロ−ラ７０によって腰床板部９５ｂの腰上げ部材１１４が起上方向に回動させられるから、この腰上げ部材１１４はマットレス体Ｍの第２のマットレス部１２２の一端部とともに利用者Ｕの腰部を押上げる。
【００８０】
このとき、第１のマットレス部１２１の一端部は押し上げられることがないから、図３（ｂ）に示すように、第２のマットレス部１２２の一端部との間に大きな段差ができ、それによって利用者Ｕの腰の部分の下側にスペ−スＳが形成される。つまり、利用者Ｕの腰の部分がマットレス体Ｍの上面から浮いた状態となる。
【００８１】
したがって、介護者は上記スペ−スＳを利用することで、利用者Ｕの腰部を持ち上げることなく、利用者Ｕのおむつを交換したり、排泄の世話をすることができるから、介護者に大きな負担がかかることがない。
【００８２】
上記第１のマットレス部１２１と第２のマットレス部１２２とは連結部材１２３によって所定の範囲内で接離方向に移動自在に連結されている。そのため、マットレス体Ｍが一対のマットレス部１２１、１２２に分割されていても、どちらか一方のマットレス部が床板体９５上からずれ落ちるということがないばかりか、上記連結部材１２３が屈曲した状態から伸張する範囲で上記第２のマットレス部１２２の一端部を腰上げ部材１１４によって押し上げることができる。
【００８３】
また、利用者Ｕの腰部が腰上げ部材１１４によって押上げられると、マットレス体Ｍに対する利用者Ｕの圧迫度合が軽減される。とくに、褥瘡が生じ易い臀部の仙骨の部分の圧迫度合が最も大きく軽減され、ついで背部や踵の部分などの圧迫度合も軽減される。
【００８４】
そのため、背床板部９５ｃが起上されていないときに、所定の周期で腰上げ部材１１４を起上させるようにすれば、利用者Ｕの身体に褥瘡が生じるのを軽減することができる。
【００８５】
上記腰床板部９５ｂの腰上げ部材１１４を起上させために、第１の回転軸５９を時計方向に回動させると、背床板部９６ｃを起上ア−ム６４を介して起上させるための連動ア−ム６７も時計方向に回動する。
【００８６】
この連動ア−ム６７に設けられたピン６９は上記起上ア−ム６４に設けられた受け部材６６の下面に係合しているだけであるから、上記連動ア−ム６７が時計方向に回動しても、起上ア−ム６４が影響を受けることがない。
【００８７】
つまり、背上げ駆動機構５１を利用して腰上げ部材１１４を起上させるようにしても、ほぼ水平な倒伏状態で上下フレ−ム３１上に支持された背床板部９６ｃを上昇あるいは下降方向に回動させることなく、上記腰上げ部材１１４だけを起上させることができるから、上記腰上げ部材１１４によって利用者Ｕの腰部を確実に持ち上げ、マットレス体Ｍによる利用者Ｕの身体の圧迫度合を軽減することができる。
【００８８】
しかも、背上げ駆動機構５１によって腰上げ部材１１４を起伏駆動できるため、専用の駆動機構が不要となる。つまり、構成の複雑化を招くことなく、腰上げ部材１１４を起伏駆動することができる。
【００８９】
上記一実施の形態では背床板部に設けられる帯状部材の一端部と他端部との間に連結鋼板を介装したが、連結鋼板を設けずに、上記帯状部材だけでル−プ状に形成して連結部材に連結するようにしてもよい。
【００９０】
【発明の効果】
請求項１の発明によれば、マットレス体を複数のマットレス部に分割し、可動床板部を起立方向に回動させたときに、この可動床板部上に設けられたマットレス部を上昇方向へ強制的にスライドさせるとともに、上記可動床板部を倒伏方向に回動させたときには上記マットレス部を下降方向へ強制的にスライドさせるようにした。
【００９１】
そのため、背上げ時にマットレス部を強制的に上昇方向にスライドさせることで、上記マットレス部が湾曲して利用者の腰部を圧迫する圧縮力が発生するのを防止できるから、とくに、自力で身体を自由に動かすことができないような利用者が上半身を起こしたときに、腰部が圧迫されて不快感を覚えるということをなくすことができる。
【００９２】
また、可動床板部を倒伏させたときには、上記マットレス部を強制的に下方へスライドさせるため、可動床板部上のマットレス部の端面を固定床板部上に設けられたマットレス部の端面に確実に接合させることができる。
【００９３】
それによって、可動床板部を倒伏させたときに、隣り合うマットレス部の端面間に隙間ができるのが防止できるから、利用者に不快感を与えたり、寝心地の低下を招くなどのことが防止できる。
【００９４】
また、可動床板部の起伏回動に応じてマットレス部を上記可動床板部に沿ってスライドさせるためのスライド手段を、背上げ機構を利用して駆動するようにした。
そのため、スライド手段を駆動するために専用の駆動手段を必要としないから、構成の簡略化やコストの低減を図ることができる。
【図面の簡単な説明】
【図１】この発明の一実施の形態の全体構成を示す分解斜視図。
【図２】（ａ）は同じく平面図、（ｂ）は図２（ａ）のＡ−Ａ´線に沿う床板体の拡大断面図。
【図３】（ａ）は同じく床板体が平坦な状態の正面図、（ｂ）は同じく床板体が平坦で、腰上げ部材を起上させた状態の正面図、（ｃ）は同じく背上げ状態の正面図。
【図４】（ａ）同じく背上げ駆動機構の斜視図、（ｂ）は同じく連動ア−ムのピンと起上ア−ムに設けられた受け部材との係合状態の断面図。
【図５】同じく第１の連結部材の平面図。
【図６】同じく第１の連結部材の斜視図。
【図７】同じく上下駆動機構と上下フレ−ムとの連結構造の分解斜視図。
【図８】同じく第２の連結部材の分解斜視図。
【図９】同じく背上げ駆動機構の回転軸の支持状態の斜視図。
【図１０】（ａ）は同じく背上げ駆動機構の回転軸を上下フレ−ムに取り付ける受け部の斜視図、（ｂ）は同じく回転軸を回転自在に支持するブッシュの背面図。
【図１１】（ａ）は同じく動力切換機構の一部断面した平面図、（ｂ）は同じく図１１  （ａ）のＡ−Ａ線に沿う断面図、（ｃ）は同じく第１のリンクの正面図。
【図１２】同じく動力切換機構の分解斜視図。
【図１３】同じくスライド機構の拡大断面図。
【図１４】同じく背床板部の下面側を示す斜視図。
【図１５】同じくマットレス体の斜視図。
【符号の説明】
３１…上下フレ−ム（ベッドフレ−ム）
５１…背上げ駆動機構
５２…駆動源
６４…起上ア−ム
６７…連動ア−ム
６８…腰上げア−ム（起上手段）
９５…床板体
９５ａ〜９５ｅ…床板部
１１４…腰上げ部材
１２１…第１のマットレス部
１２２…第２のマットレス部
１２７…帯状部材（スライド手段）
Ｍ…マットレス体
【図１】
0003562937.tif 000002
【図２】
0003562937.tif 000003
【図３】
0003562937.tif 000004
【図４】
0003562937.tif 000005
【図５】
0003562937.tif 000006
【図６】
0003562937.tif 000007
【図７】
0003562937.tif 000008
【図８】
0003562937.tif 000009
【図９】
0003562937.tif 000010
【図１０】
0003562937.tif 000011
【図１１】
0003562937.tif 000012
【図１２】
0003562937.tif 000013
【図１３】
0003562937.tif 000014
【図１４】
0003562937.tif 000015
【図１５】
0003562937.tif 000016